(57)【要約】【課題】筐体内における部品レイアウトを最適化できる電子機器を提供することを課題とする。【解決手段】実施形態に係る電子機器は、周縁部に向けて内側に傾斜した第１傾斜部を有する第１筐体と、この第１筐体の外側で第１傾斜部に少なくとも部分的に重なるように配置され、第１傾斜部の傾斜方向と交差する幅方向の両端が第１傾斜部を覆う位置まで延びている第２筐体と、第１および第２筐体の反対側に配置された第３筐体と、を有する。そして、第１筐体と第２筐体の間には、部品配置空間が形成されている。【選択図】      図３
2013201709.tif 000002
【特許請求の範囲】
【請求項１】
周縁部に向けて内側に傾斜した第１傾斜部を有する第１筐体と、
この第１筐体の外側で上記第１傾斜部に少なくとも部分的に重なるように配置され、上記第１傾斜部の傾斜方向と交差する幅方向の両端が上記第１傾斜部を覆う位置まで延びている第２筐体と、
上記第１および第２筐体の反対側に配置された第３筐体と、
上記第１筐体と上記第２筐体の間に形成された部品配置空間と、
を有する電子機器。
【請求項２】
上記第２筐体は、上記第１筐体の外面より外側に突出した構造を有し、この突出部分の鉛直方向に沿った上方の第１壁に第１通気孔を有する、
請求項１の電子機器。
【請求項３】
上記第２筐体は、鉛直方向に沿った下方の第２壁に第２通気孔を有する、
請求項２の電子機器。
【請求項４】
上記部品配置空間内に配置される第１基板をさらに有し、
上記第１基板は、上記第２筐体の内面に取り付けられる、
請求項１の電子機器。
【請求項５】
上記部品配置空間内に配置される第２基板をさらに有し、
上記第２基板は、上記第１筐体の上記第１傾斜部に沿って斜めに配置される、
請求項１の電子機器。
【請求項６】
上記第２筐体は、その幅方向の両端に向けて内側に傾斜した第２傾斜部を有し、この第２傾斜部に、外部機器を接続するための開口部が設けられている、
請求項１の電子機器。
【発明の詳細な説明】
【技術分野】
【０００１】
本発明の実施形態は、例えば、扁平な筐体を有する表示装置などの電子機器に関する。
【背景技術】
【０００２】
一般に、扁平な筐体を有する電子機器は、筐体内の空間が狭く、部品のレイアウトに種々の工夫がなされている。
【先行技術文献】
【特許文献】
【０００３】
【特許文献１】特開２００９−１５９０８４号公報
【発明の概要】
【発明が解決しようとする課題】
【０００４】
しかし、装置のメンテナンス性や部品の放熱性などを考慮した筐体内空間における部品レイアウトについては十分に考慮されていない。
【０００５】
よって、筐体内における部品レイアウトを最適化できる電子機器の開発が望まれている。
【課題を解決するための手段】
【０００６】
実施形態に係る電子機器は、周縁部に向けて内側に傾斜した第１傾斜部を有する第１筐体と、この第１筐体の外側で第１傾斜部に少なくとも部分的に重なるように配置され、第１傾斜部の傾斜方向と交差する幅方向の両端が第１傾斜部を覆う位置まで延びている第２筐体と、第１および第２筐体の反対側に配置された第３筐体と、を有する。そして、第１筐体と第２筐体の間には、部品配置空間が形成されている。
【図面の簡単な説明】
【０００７】
【図１】図１は、実施形態に係る表示装置の分解斜視図である。
【図２】図２は、図１の表示装置を背面側から見た背面図である。
【図３】図３は、図２のＦ３−Ｆ３に沿った断面図である。
【図４】図４は、図２のユニットカバーを取り外した状態の背面図である。
【図５】図５は、図４の部品配置空間における基板の位置を破線で示す背面図である。
【図６】図６は、図２のユニットカバーを外側から見た斜視図である。
【図７】図７は、図６のユニットカバーを内側から見た斜視図である。
【発明を実施するための形態】
【０００８】
以下、図面を参照しながら実施形態について詳細に説明する。  
図１は、電子機器の一実施形態である表示装置１００の分解斜視図を示す。また、図２は、この表示装置１００の背面図であり、図３は、図２のＦ３−Ｆ３に沿った表示装置１００の断面図である。この表示装置１００は、例えば、放送波を受信して各種番組を表示するテレビ受像機である。
【０００９】
表示装置１００は、液晶ディスプレイ（ＬＣＤ）、プラズマディスプレイ、有機エレクトロルミネッセンスディスプレイ（有機ＥＬＤ）などの表示パネル１を有する。表示パネル１の背面側には、バックライトユニット２が配置される。表示パネル１およびバックライトユニット２の外側には、装置の外殻をなす筐体３、４、５が設けられる。
【００１０】
筐体３は、バックライトユニット２の背面側に配置されるバックベゼル３（第１筐体）であり、筐体４、はバックベゼル３の外側に部分的に重なるユニットカバー４（第２筐体）であり、筐体５は、表示パネル１の前面側に配置される枠状のフロントベゼル５（第３筐体）である。バックベゼル３の下端には、スタンドアッシー６が着脱自在に取り付けられる。
【００１１】
また、フロントベゼル５の下端内面側には、左右２つのスピーカ１１、１１が取り付けられている。さらに、ユニットカバー４の内面側には、電源回路基板７（第１基板）およびコネクタ基板８（第１基板）が取り付けられている。図１では、コネクタ基板８の図示しないコネクタにＵＳＢメモリ９が接続された状態を図示している。
【００１２】
バックライトユニット２は、略矩形板状の反射板１２、および複数枚（本実施形態では３枚）の細長い基板１３を有する。各基板１３の表面には、それぞれ、複数個（本実施形態では１２個）の発光素子１４が一列に並べて取り付けられている。各発光素子１４は、基板１３の表面に実装した図示しないＬＥＤ（発光ダイオード）素子を含む。３枚の基板１３は、水平方向に延びた姿勢で互いに上下に離間して反射板１２の背面に取り付けられる。
【００１３】
反射板１２は、その周縁部に向けて表示パネル１に向かう方向に内側に傾斜した４つの傾斜面部１５を有する。また、反射板１２は、４つの傾斜面部１５で囲まれた矩形の平らな底面部１６を有する。つまり、各傾斜面部１５は、底面部１６の４つの辺からそれぞれ表示パネル１の縁に近付く方向に傾斜され、反射板１２の４辺が、図３に示すように、表示パネル１の背面に接触する位置まで延びている。また、反射板１２の底面部１６には、上述した各基板１３に実装した複数個の発光素子１４を表示パネル１側に露出する複数の開口部１６ａが設けられている。
【００１４】
しかして、バックライトユニット２の複数個の発光素子１４を点灯させると、各発光素子１４から放出された光が表示パネル１を透過する。この際、発光素子１４から放出された光の一部がその周囲に配置された傾斜面部１５で反射され、表示パネル１に向けて指向される。このように、傾斜面部１５を有する反射板１２を用いることで、表示パネル１の全面を均一に光らせることができ、特に、表示パネル１の周辺部に光を行き渡らせることができ、表示斑を生じることを防止できる。
【００１５】
図１および図３に示すように、反射板１２の背面側に重なるバックベゼル３は、バックライトユニット２の反射板１２の傾斜面部１５に沿って延びた４つの傾斜部２１を有する。下端にある傾斜部２１（第１傾斜部）は、図２では、ユニットカバー４で隠されている。これら４つの傾斜部２１は、上述した反射板１２の傾斜面部１５に沿って、傾斜面部１５と同様に、その周辺部に向けて内側に傾斜している。
【００１６】
しかしながら、この傾斜部２１は、上述した傾斜面部１５と異なり、必ずしも傾斜した平らな面を有している必要ななく、図示のように複数の段部を有する構造を含むものとする。いずれにしても、この傾斜部２１は、反射板１２の傾斜面部１５に沿って傾斜して延びていれば良い。
【００１７】
図３に示すように、ユニットカバー４は、バックベゼル３のスタンドアッシー６側の下端に部分的に重なるように、バックベゼル３の外側に取り付けられる。より具体的には、ユニットカバー４は、バックベゼル３の下端側の傾斜部２１に重なる位置に取り付けられ、フロントベゼル５の下端に取り付けた２つのスピーカ１１の背面側および下面側をカバーする。ユニットカバー４の幅方向（図２で左右方向）両端は、バックベゼル３の下端側の傾斜部２１の幅方向両端を覆う位置まで延びている。
【００１８】
このため、バックベゼル３の傾斜部２１とユニットカバー４との間には、比較的大きな部品配置空間Ｓが形成される。なお、ユニットカバー４は、バックベゼル３の背面３ａ（外面）より外側に突出した背面４ａを有し、この構造によって上記の部品配置空間Ｓがさらに広げられている。そして、この部品配置空間Ｓ内に、上述した２枚の基板７、８が配置されている。
【００１９】
図３に示すように、電源回路基板７に実装された電子部品２２には種々の高さのものがあり、周辺部材との接触を避けるため、一般的に、適切なレイアウトが必要とされている。本実施形態では、当該電子部品２２の突出側にバックベゼル３の傾斜部２１が対向しているため、この電子部品２２を逃がすための空間を設け易い。同様に、基板７の実装面とスピーカ１１との間にも隙間があるため、この隙間を利用して電子部品２２を配置しても良い。
【００２０】
図４は、表示装置１００のユニットカバー４を取り外した状態の背面図であり、ユニットカバー４の内面側に取り付けられた２枚の基板７、８も不図示の状態である。また、図５は、ユニットカバー４を取り付けた際に、２枚の基板７、８が部品配置空間Ｓ内に配置される位置を２点鎖線で示した、表示装置１００の背面図である。さらに、図６は、ユニットカバー４を外側から見た斜視図であり、図７は、ユニットカバー４を内側から見た斜視図である。
【００２１】
図３および図７に示すように、ユニットカバー４のバックベゼル３より後方に突出した突出部分の細長い上端壁４ｂ（第１壁）には、部品配置空間Ｓ内の空気を排気するための排気口３１（第１通気孔）が設けられている。一方、図６および図７に示すように、ユニットカバー４の下端壁４ｃ（第２壁）には、部品配置空間Ｓ内に外気を取り入れるための吸気口３２（第２通気孔）が設けられている。
【００２２】
このように、ユニットカバー４の上端および下端に通気孔３１、３２を設けることで、部品配置空間Ｓに配置される基板、特に電源回路基板７を効果的に冷却できる。この際、下端の吸気口３２から取り入れた外気は、電源回路基板７を通って上昇し、ユニットカバー４の上端に設けた排気口３１から排気される。このとき、空間Ｓ内を流通する空気は、バックベゼル３の下端にある傾斜部２１の裏面に沿って流れ、スムーズな気流が形成される。
【００２３】
また、図３に示すように、本実施形態では、部品配置空間Ｓには、別の基板４１（第２基板）も配置される。この基板４１は、表示パネル１の周縁部から駆動信号を入力するための駆動回路を取り付けたものであり、フレキシブル配線４２を介して表示パネル１に接続されるものである。この基板４１は、図３に示すように、バックベゼル３の下端側の傾斜部２１に沿って、表示パネル１の縁から背面側に向けて上方に傾斜する姿勢で取り付けられる。
【００２４】
さらに、図６および図７に示すように、ユニットカバー４は、その左右の周縁部に向けて内側に傾斜した傾斜部５１、５２（第２傾斜部）を有する。これら傾斜部５１、５２は、図２に示すようにユニットカバー４をバックベゼル３に重ねて取り付けた状態で、バックベゼル３の左右の傾斜部２１と略面一に連続する形状を有する。また、これら傾斜部５１、５２は、バックベゼル３の下端側の傾斜部２１を超えてフロントベゼル５の左右両端縁まで延びている。このため、表示装置１００を背面側から見た際の見栄えが良い。
【００２５】
なお、一方の傾斜部５２（背面視で右側の傾斜部５２）には、図示しない外部機器を表示装置１００に接続するための開口部５３が設けられている。この開口部５３は、例えば、上述したＵＳＢメモリ９をコネクタ基板８の図示しないコネクタに装着する際、ＵＳＢメモリ９を表示装置１００の外部から差し込むために設けられている。
【００２６】
このように、傾斜部５２に外部機器を接続するための開口部５３を設けることで、コネクタ類の抜き差しを容易にでき、操作性を向上させることができる。また、この傾斜部５２に設けた開口部５３を介してコネクタ類を差し込むと、表示装置１００の前面側からこのコネクタ類が見え難くなり、美観上好ましい。
【００２７】
以上のように、上述した実施形態の電子機器は、バックベゼル３の傾斜部２１とユニットカバー４との間に部品を配置することができる空間Ｓを有するため、筐体内における部品レイアウトを最適化できる。
【００２８】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【符号の説明】
【００２９】
１…表示パネル、２…バックライトユニット、３…バックベゼル、４…ユニットカバー、５…フロントベゼル、６…スタンドアッシー、７…電源回路基板、８…コネクタ基板、９…ＵＳＢメモリ、１１…スピーカ、１２…反射板、１３…基板、１４…発光素子、１５…傾斜面部、２１…傾斜部、２２…電子部品、３１…排気口、３２…吸気口、４１…基板、４２…フレキシブル配線、５１、５２…傾斜部、５３…開口部、１００…表示装置、Ｓ…部品配置空間。
【図１】
2013201709.tif 000003
【図２】
2013201709.tif 000004
【図３】
2013201709.tif 000005
【図４】
2013201709.tif 000006
【図５】
2013201709.tif 000007
【図６】
2013201709.tif 000008
【図７】
2013201709.tif 000009